(57)【要約】  本発明は、多数の同一の挿入体（１）のアセンブリ（６）に関し、各挿入体（１）は、電気機械的な送信および／または受信装置としてＲＦＩＤタグ（２）を含む。挿入体（１）は、一つ以上の接続要素（２８）によって互いに隣接してまたは互いに前後に接続され、接続要素（２８）は、個々の挿入体（１）への外力（Ｆ）の付与によって機械的に破壊されるように設計される。このようにして、それは、識別のためにパレット（２５）に挿入されるために挿入装置として作用する空気または電動釘打ち銃装置またはボルトガン装置用マガジン（６）のタイプとして直接状配置を連続的に形成することができる。【選択図】図５
2018524746.tif 000002
【特許請求の範囲】
【請求項１】
運搬用受台装置（２５）内に挿入するための挿入体（１，１０１，２０１，３０１，４０１）であって、挿入体は細長い形状であり、ＲＦＩＤタグまたはＮＦＣタグとして形成される電子的または電気機械的な送信および／または受信装置（２）を有し、挿入体は少なくとも一先端（１２，３１２）がテーパ状である、挿入体。
【請求項２】
挿入体（１，３０１）の先端（１２，３１２）は、挿入体の面内長手中心軸に沿って走る、少なくとも２つの長手方向溝（１０’，３１０’）を、好ましくは４つの均等に分布する長手方向溝を有し、長手方向溝は好ましくはテーパ状の先端に設けられ、溝の間には一定幅を有する長手方向フィン（１０，３１０）が存在し、特に先端（３１２）はプラスドライバと同様の形状を有する、請求項１に記載の挿入体。
【請求項３】
電子的または電気機械的な送信および／または受信装置（２）、および／または送信および／または受信装置のアンテナに隣接して、挿入体（４０１）に磁化可能材料またはフェライト系材料（４３２）が配設され、磁化可能材料またはフェライト系材料（４３２）は、好ましくは送信および／または受信装置より大きいサイズの湾曲面として、それが送信および／または受信装置を超えて一つの方向に突出し、側方のどこにも突出するように、またはそれが前記送信および／または受信装置を遮蔽するように形成される、請求項１または２に記載の挿入体。
【請求項４】
複数の同一挿入体（１，１０１，２０１，３０１，４０１）、特に請求項１〜３のいずれかに記載の挿入体（１，１０１，２０１，３０１，４０１）のアセンブリ（６，３０６）であって、各挿入体は電子的または電気機械的な送信および／または受信装置（２）を有し、電子的または電気機械的な送信および／または受信装置はＲＦＩＤタグまたはＮＦＣタグとして形成され、挿入体（１，１０１，２０１，３０１，４０１）は、１つ以上の接続要素（２８，３２８）によって、互いに隣接してまたは互いに前後に接続され、接続要素（２８，３２８）は、単一の挿入体（１，１０１，２０１，３０１，４０１）に対する外力の効果（Ｆ）により、機械的に引き千切られる（４）ように設計される、アセンブリ。
【請求項５】
接続要素（２８，３２８）は、挿入体が挿入されるときに、特に空気圧駆動装置または電気駆動装置を有する被駆動挿入装置（２０）により挿入されるときに、単一の挿入体（１，１０１，２０１，３０１，４０１）に対する外力の効果（Ｆ）によって機械的に引き千切られる（４）ように設計される、請求項４に記載のアセンブリ。
【請求項６】
挿入体（１，１０１，２０１，３０１，４０１）は直列に配設して互いに（２８，３２８）接続され、かつ挿入装置（２０）として空気もしくは電動釘打ち銃装置またはボルトガン装置用の直線状、円形、または螺旋状構成のマガジン（６，３０６）を形成する、請求項４または５に記載のアセンブリ。
【請求項７】
挿入体（１，１０１，２０１）は、先端（１２）とは反対側の端部（１１，１１１，２１１）がテーパ状であり、好ましくは、直径が少なくとも５％、特に最大５０％まで漸減される、請求項４〜６のいずれかに記載のアセンブリ。
【請求項８】
挿入体（１，１０１，２０１，３０１，４０１）の一先端（１２，３１２）は平坦状であるか、または挿入体の最大直径（８）の最大２５％まで漸減される、請求項４〜７のいずれかに記載のアセンブリ。
【請求項９】
挿入体（１，３０１）の一先端（１２，３１２）は、挿入体の面内長手中心軸に沿って走る、少なくとも２つの長手方向溝（１０’，３１０’）を、好ましくは４つの均等に分布する長手方向溝を有し、長手方向溝は好ましくはテーパ状の先端に設けられ、溝の間には一定幅を有する長手方向フィン（１０，３１０）が存在し、特に先端（３１２）はプラスドライバと同様の形状を有する、請求項４〜８のいずれかに記載のアセンブリ。
【請求項１０】
挿入体（３０１）は、テーパ状の先端（３１２）を除いて、かなりの部分を、つまりその長さの少なくとも５０％超を、筒状の直線的な形状、特に円筒状とする、請求項４〜９のいずれかに記載のアセンブリ。
【請求項１１】
挿入体（１，１０１，２０１，３０１，４０１）は、先端（１２，３１２）とは反対側の端部（１１，１１１，２１１）に、ダイスタンプ等によってマーキングされる塑性変形可能な面を有する、請求項４〜１０のいずれかに記載のアセンブリ。
【請求項１２】
挿入体（１，１０１，２０１，３０１）の前部領域（１２，３１２）は、挿入体の後部（７）、特に先端（１２）の材料より硬い材料から構成され、前部領域（１２，３１２）は、ポジティブ係止および摩擦係止によりこの後部（７）に接続される（１４）、請求項４〜１１のいずれかに記載のアセンブリ。
【請求項１３】
挿入体（１０１）は、その最大直径の長さ部分を少なくとも超えて延びる、断面で対称的または非対称的に配設された長手方向溝（１１６）を有する、請求項４〜１２のいずれかに記載のアセンブリ。
【請求項１４】
挿入体（１，３０１）および接続要素（２８，３２８）は同一材料から構成され、特に射出成形法により同一プロセスで作製される、請求項４〜１３のいずれかに記載のアセンブリ。
【請求項１５】
挿入体（１１１）は、先端（１０９）とは反対側の端部に、挿入体が装着された物体から再び挿入体を取り出すことができる工具を挿入するように意図された開口であって、開口の後に位置する陥凹（１１８）付きの開口（１１７）を有する、請求項４〜１４のいずれかに記載のアセンブリ。
【請求項１６】
送信および／または受信装置（２）は、陥凹（１１８）を介してまたは先端分離面（１４）を介してダクト（２６）を通って挿入体（１，１１１）の内部へと移動され、同じようにして再び除去される、請求項１２または１５に記載のアセンブリ。
【請求項１７】
送信および／または受信装置（２）は、シース内に位置され、このシースによって挿入体（１，１０１，２０１，３０１，４０１）中に射出成形によって含められ、射出成形法は、好ましくは一段階または二段階で行なわれる、請求項４〜１６のいずれかに記載のアセンブリ。
【請求項１８】
挿入体（２０１）は、先端（２１２）とは反対側の端部に、挿入体が装着される物体（２５）への貫入深さを制限するためのストッパとして働く、円板状のプラットフォーム（２１９）を有する、請求項４〜１７のいずれかに記載のアセンブリ。
【請求項１９】
挿入体（１，１０１，２０１，３０１，４０１）、特に請求項１〜３のいずれかに記載の挿入体（１，１０１，２０１，３０１，４０１）、および／または請求項４〜１８のいずれかに記載のアセンブリの挿入体を運搬用コンテナの一部または運搬用受台装置（２５）内に挿入するための方法であって、挿入体（１，１０１，２０１，３０１，４０１）は、ＲＦＩＤタグまたはＮＦＣタグ（２）として形成された電子的または電気機械的な送信および／または受信装置を有し、挿入体（１，１０１，２０１，３０１，４０１）は、空気圧により、燃焼により、または電気的に駆動される挿入装置（２０）によって、運搬用受台装置（２５）の対応する部分内に挿入される、方法。
【請求項２０】
挿入体（１，１０１，２０１，３０１，４０１）は完全に挿入され、結果的に運搬用受台装置（２５）の外面から突出せず、特にもはや見えなくなる、請求項１９に記載の方法。
【発明の詳細な説明】
【技術分野】
【０００１】
本発明は、運搬用受台装置内に挿入するための挿入体、各挿入体が電子的または電気機械的な送信および／または受信装置を有して成る複数の同一挿入体のアセンブリ、ならびに挿入体を運搬用受台装置の一部分に挿入する方法に関する。
【背景技術】
【０００２】
いわゆるＲＦＩＤタグを取り付けることによる物体、構成部品、または物品のマーキングは、ますます重要になってきている。一義的または個別化可能なデータを無線方式で読み出しまたは書き込むことのできるこれらのタグの能力は、所有権の検出から追跡および証明まで、事実上無限に多様な利用可能性をもたらす。ＲＦＩＤタグは、無効化できる織物ラベルから身分証明書およびショッピングトロリーチップの大きさのキーフォブまで、様々なデザインが利用可能である。
【０００３】
独国特許出願公開第１０２００６０１８４６１（Ａ１）号明細書は、２つのガラス繊維強化層の間に埋め込まれ、平坦なデザインであり、ベース層とカバー層とを有するＲＦＩＤチップを記載している。このＲＦＩＤチップは、平坦なデザインが特に重要である円板状トランスポンダに適している。
【０００４】
国際特許出願公開第２０１３０８７８７３（Ａ１）号公報は、特に車両のタイヤ用に構成され、かつ保持ストラップを用いて空気圧により固定される、ＲＦＩＤチップについて記載している。国際特許出願公開第２０１４０９６５５４（Ａ１）号公報は、設置のため物体に迅速に取り付けられ、かつその後に容易に剥離できるように、プラスチックから射出成形されかつ内蔵電子機器を有する筐体内へのＲＦＩＤチップの埋込みを示す。
【０００５】
しかし、これらの設計はどれも、本書に明記する実際の問題を解決するものではない。多くの技術的利点にもかかわらず、新しいマーキングシステムの総コストは、この技術の受入れのための決定的な要因となる。タグの製造コストに加えて、タグを商品に取り付けるのに要する時間も考慮に入れなければならない。商業および工業的側面は時間だけでなく、システムを取り付けなければならない作業者の技能レベルをも含む。この技能レベルが高ければ、言うまでもなく、技能レベルの低い人材を使用する場合より、コストも高くなる。
【発明の概要】
【発明が解決しようとする課題】
【０００６】
本発明は、先行技術の問題を解決することができ、かつ特に、多数の物品、好ましくは運搬用受台装置に挿入体を迅速かつ容易に提供することができる、冒頭に示したタイプの挿入体、複数の挿入体のアセンブリ、および冒頭に明記した方法を提供するという目的に関する。
【課題を解決するための手段】
【０００７】
この目的は、請求項１に記載の特徴を有する挿入体、請求項４に記載の特徴を有する複数の挿入体のアセンブリ、および請求項１９に記載の特徴を有する方法によって達成される。本発明の有利かつ好適な改良形態はさらなる請求項の対象であり、以下でより詳細に説明する。以下の特徴および特性の多くは、全てを列挙し尽くすものではなく、場合によっては挿入体のみについて、またはアセンブリのみについて、または方法のみについて説明する。しかし、これに関係なく、それらは挿入体およびアセンブリまたは方法の両方に、それら自体でかつ互いに独立して適用することができるように意図されている。請求項の表現は、明示的な言及を介して、明細書の内容として組み込まれる。
【０００８】
運搬用受台装置内に挿入するための挿入体は細長い形状であり、ＲＦＩＤタグまたはＮＦＣタグとして形成される電子的または電気機械的な送信および／または受信装置を有する。挿入体は少なくとも一端がテーパ状である。一端は、鈍状表面の直径を好ましくは最大直径の３％〜２０％、特に好ましくは５％〜１０％として、一般的にある程度鈍状または扁平状に形成することができることが有利である。
【０００９】
そのような挿入体はまた、木材、プレスボード、またはプラスチックのような中実材料のみならず、これらの材料から形成された複合材料にも、満足に導入する、つまり要するに、挿入することができる。挿入体は、パレット、特にユーロパレット、コンテナ等のような運搬用受台装置の構成部品であることが有利である。挿入体に付けられたＲＦＩＤタグまたはＮＦＣタグはその後、この分野ではそれ自体公知の方法で、指定された運搬用受台装置の識別を、特に公知の追跡をも可能にする。これはかなり単純なロジスティクスとなり得る。特に、そのような識別は、接着物、塗料等とは対象的に、偶発的にまたは意図的に容易に除去することができない。挿入体が挿入口からもはや突出せずあるいは離れたところから見えない程度に導入または挿入されると、それは邪魔にもならない。
【００１０】
本発明の一改良形態では、挿入体の端部は、挿入体の面内長手中心軸に沿って走る、少なくとも２つの長手方向溝を、好ましくは４つの均等に分布する長手方向溝さえも、有することができる。これらの長手方向溝はテーパ状の端部に設けることができ、溝の間には一定幅を有する長手方向フィンが存在することができる。したがって、先端はプラスドライバと同様の形状を有することが可能である。その結果、木材またはプレスボード内に挿入する場合、ほとんどまたは完全に無破壊の貫入を可能にすることができる。
【００１１】
本発明の一改良形態では、挿入体は、テーパ状の先端を除いて、かなりの部分を、つまりその長さの少なくとも５０％超、または少なくとも８０％超を、筒状の直線的な形状、特に円筒状とすることができる。このようにして、製造が容易になり、物質によく貫入することができる。
【００１２】
本発明のさらなる改良形態では、電子的または電気機械的な送受信装置および／または送受信装置のアンテナに隣接して、挿入体に磁化可能材料またはフェライト系材料を配設しまたは設けることができる。この磁化可能材料またはフェライト系材料は、特に独創的な方式で挿入体が設けられた運搬用受台装置に金属性物体が配置された場合に、送受信装置および／またはそのアンテナを近傍の金属性物体から遮蔽する。したがって、送受信装置の有効性または有効距離または検出能は確保され、あるいは過度の制約から少なくとも保護される。
【００１３】
磁化可能材料またはフェライト系材料は、様々な方法で挿入体に配設することができる。それは、例えば射出成形によって一体的に取り付けることなどによって、外側に特に取外しできないように接着または付着させることができるが、ここには挿入中に材料が破損したり、あるいは少なくとも部分的に剥がれるリスクが存在する。この理由から、磁化可能材料またはフェライト系材料が挿入体の内部に配設され、有利には射出成形によって一体化され、あるいは挿入体と一緒に製造されるならば、好ましいと考えられる。これに関連して、磁化可能材料またはフェライト系材料は、例えば送受信装置および／またはそのアンテナにすでに固定された射出成形金型内に既成構成部品として導入することができ、その結果、送受信装置および／またはそのアンテナは１つの構成部品を形成する。代替的に、前記材料は、すでに知られている通り、多成分射出成形プロセスで磁化可能プラスチックまたはフェライト系プラスチックとして別個に射出成形することができる。このような状況では、事前に磁粉をプラスチックに添加しておいてもよい。
【００１４】
磁化可能材料またはフェライト系材料は、対応する運搬用受台装置に金属性物体を配設することのできる、挿入体の厳密に定義された位置に、特にそれが送受信装置および／またはそのアンテナを上方に遮蔽するように、配設しなければならない。そのような金属性積載物、例えば飲料用の缶、機械部品、金属薄板片等は通常、有効距離すなわちＲＦＩＤタグの読出し距離を、本来の有効距離の５％にも低減させることがあり得、したがって極めて不利である。そして、磁化可能材料またはフェライト系材料によるＲＦＩＤタグの部分的遮蔽は、その上にある金属性積載物による放射状の透過放射線を遮断するように作用する。
【００１５】
磁化可能材料またはフェライト系材料は少なくとも送受信装置および／またはそのアンテナを遮蔽物として有利に被覆し、したがって表面積に関しては同等の大きさである。互いに対する配置によっては、遮蔽物は空間の一部分だけを、例えば、遮蔽物が屈曲されるか湾曲状に延びる場合、４５°〜９０°の区画だけを、上方に被覆することが可能である。磁化材は曲面として送受信装置より大きいことが好ましく、かつあらゆる場所で横方向突起により一方向に送受信装置を超えて突出することが好ましい。
【００１６】
磁化可能材料またはフェライト系材料から作られたそのような遮蔽要素は基本的に公知である。本発明のこの態様の場合、最終的に運搬用受台装置またはパレットのブロックにおける定義された位置に配設されるために、この材料が挿入体の定義された位置に配設されるならば、特に有利である。前記材料は、最大限の効果を発揮するために、実際、送受信装置および／またはそのアンテナとその上の金属性物体との間に配設しなければならず、したがって一般的に閉囲された状態で頂部に位置しなければならない。これを確実にするために、本発明のさらなる態様では、特に長手軸線周りの回転に対して厳密に定義された位置でだけ、挿入体を挿入装置内に挿入できるようにすることを提案する。共通アセンブリを形成する挿入体の場合、下述する本発明の一態様によれば、これは本質的にすでに必然的に定義されている。加えて、特に自在に動く挿入体、あるいはマガジン内に個々に配設される挿入体の場合、外面にある、特に側面にある、少なくとも１つの非対称なまたは片面の陥凹または切欠きによって、厳密に単一の位置でだけそれらを挿入装置内に導入できるように構成することができる。この位置は、直立状態または標準的に固定される挿入装置の場合、磁化可能材料またはフェライト系材料が遮蔽要素として送受信装置および／またはそのアンテナの上に位置するように、すなわち送受信装置および／またはそのアンテナの上方を遮蔽するように、挿入体が挿入装置内に存在しかつ運搬用受台装置内に挿入されるような位置でなければならない。原則的に、陥凹または切欠きは外面に、すなわち磁化可能材料またはフェライト系材料と送受信装置との間の接続軸線に対して横断方向に位置しなければならない。陥凹または切欠きは、挿入体の長手軸線に対して横断方向に走り、かつ挿入装置の適切な保護により、挿入体が定められた方法で導入され、かつ定められた方法で最終的に運搬用受台装置内に挿入されることを確実にすることができることが有利である。前記送受信装置を妨害せず、またはそれに必要な空間と衝突しないように、２つのそのような陥凹または切欠きを同じ側に、１つは送受信装置の前部に、かつ１つはその後部に、設けることができる。
【００１７】
複数の同一挿入体の１つのアセンブリにおいて、各挿入体は、ＲＦＩＤタグまたはＮＦＣタグとして形成された電子的または電気機械的な送受信装置を有する。挿入体は上述の通り形成されることが有利であるが、必ずしもそうする必要は無い。
【００１８】
本発明によれば、挿入体は、１つ以上の接続要素によって、互いに隣接してまたは互いに前後に接続される。接続要素は、単一の挿入体に対する外力の効果により、機械的に引き千切られるように設計される。したがって接続要素は通常の状態では挿入体を一体に保持するが、挿入体が導入または挿入されるか一般的に固定されるときに、切り離され、すなわち挿入体を解放する。これは自動的に発生することが好ましい。
【００１９】
したがって、挿入体付きの例えば運搬用受台装置のような単一の物体をＲＦＩＤタグまたはＮＦＣタグにより瞬く間にマーキングすることを可能にするだけでなく、多数の物体も数秒でマーキングすることをも可能にする、新規のマーキングシステムが発明された。個々の物体は、通常の貼着可能なタグでも依然として許容時間内にマーキングすることができるが、多数の物体はそうではない。
【００２０】
接続要素によって一体に保持される、本発明に係るアセンブリの結果、封入体も比較的大量に容易に取り扱うことができる。本発明は、好ましくは非金属物体におけるＲＦＩＤタグの高処理速度での機械または装置支援取付けを可能にする。例えば運搬用パレットのスタックに非常に短時間でマーキングすることが可能であり、手動による作業法で数秒以内に木製パレットにタグを取り付けることができる。
【００２１】
本発明は、例えば耐衝撃性プラスチックにより閉囲され、理想的にはその射出成形によって封入されたＲＦＩＤタグに関し、タグもまた当然ガラス体から構成することができる。それらは小さい接続要素によって互いに接続され、かつ好ましくは同一材料から同一射出成形プロセスで製造することができる。したがってタグまたは封入体は、通常金属の釘およびボルト用に提供されるマガジン内に差し込むことができるので、普通のいわゆる空気釘打ち機または電動釘打ち機で使用することができる。これらのニードル装置は、ＲＦＩＤタグを数秒以内に木材、圧縮材、カードボード、およびプラスチックボルトを貫入させることのできる硬さ範囲にある他の物質に取り付けることを可能にする。
【００２２】
そのような空気釘打ち機を装着した作業者は、このようにして現実的に１０台以上の運搬用受台装置またはユーロパレットに追跡可能なＲＦＩＤタグを１０秒で設置することができる。このプロセスで、タグは木材または対応する材料内に深く、かつ有利には完全に打ち込まれ、または挿入され、かつ再び工具により取り外すことができる。これさえも、運搬用受台装置またはパレットを損傷することによってのみ可能である。
【００２３】
そのようなＲＦＩＤ挿入体により、その後、物体および運搬用受台装置、ここではパレットを、迅速にかつ略同時に感知することが可能であり、これは、所有関係、運搬経路、積替え作業等をモニタするための適切なソフトウェアによって使用することができる。
【００２４】
本発明の一改良実施形態では、接続要素は、挿入体が挿入されるときに、単一の挿入体に対する外力の効果によって機械的に引き千切れるように設計される。
【００２５】
挿入は、特に空気圧駆動装置または電気駆動装置を有する被駆動挿入装置により、あるいは爆発性または燃焼性推進装薬により、実行されることが好ましい。
【００２６】
挿入体は互いに直列に配設して接続されることが有利であり、かつ挿入装置として役立つ空気もしくは電動釘打ち銃装置またはボルトガン装置用の直線状、円形、または螺旋状構成のマガジンまたはアセンブリを形成する。
【００２７】
そのような挿入体の固定アセンブリの代替例として、挿入装置は極めて一般的に、分離した個々の挿入体がマガジンに導入または挿入される銃器と同様のマガジンを備えることもできる。挿入体と銃器のカートリッジの類似性は、言うまでもなく明白である。そして、これらの有利には棒状のマガジンは、内部ばねによって個々の挿入体を、個別発射または挿入用の挿入装置、例えば空気圧挿入装置内に、押し込むことができる。マガジンの装填は、手動で行われる場合、ある一定の時間がかかるが、この理由から挿入体はより単純な設計にすることができる。
【００２８】
本発明の一改良形態では、挿入体は先端とは反対側の端部がテーパ状であり、好ましくは、直径が少なくとも５％、特に最大５０％まで漸減される。
【００２９】
本発明の一改良形態では、挿入体の一端は平坦状であり、あるいは挿入体の最大直径の最大２５％まで漸減される。
【００３０】
先端は好ましくは、長手方向に走る複数の例えば２つないし６つの長手方向溝または長手方向フィンを有することができる。これらは実際、木材またはプレスボードの断裂を防止または低減するように働くことができる。
【００３１】
本発明の一改良形態では、挿入体は、先端とは反対側の端部に、ダイスタンプ等によってマーキングされる塑性変形可能な面を有する。
【００３２】
本発明の一改良形態では、挿入体の前部領域は、挿入体の後部または残部の材料より硬い材料から構成される。これは先端であることが有利であり、それは金属から構成するか、あるいは好ましくは５ｍｍ〜１５ｍｍのファイバ長のファイバ成分を先端に添加することにより、挿入体の残部より硬質のプラスチックから構成することができる。前部領域は、ポジティブ係止および摩擦係止によりこの後部に接続されることが特に有利である。
【００３３】
長炭素繊維で強化させ、あるいは少なくとも繊維で強化させ、かつ熱安定化させることのできるポリアミド、好ましくは芳香族成分を持つ部分結晶性ポリアミドは、一般的に少なくとも挿入体の前部領域あるいは挿入体全体の材料として有利に使用することができる。繊維、特にガラス繊維または炭素繊維の長さはここでは、ポリアミドの典型的な粒径に対応する約１０ｍｍとすることができる。したがって、挿入体または少なくともその前部領域の熱機械的特性を、短繊維強化製品と比較して、かなり改善する繊維構造を得ることが可能である。上述した挿入装置、例えば圧縮エアガンで使用する場合、２０００ｇ（地球の加速の２０００倍）をはるかに超える加速度が発生する。したがって、重要な因子は高レベルの剛性と切欠きの極めて優れた衝撃強度との組合せである。産業用途では、ＲＦＩＤタグまたはＮＦＣタグのアンテナ特性への悪影響を回避するために、温度または湿度の影響による特性のわずかな変化のみならず、歪みが小さく優れた疲労強度も重要な因子である。したがって、そのようなポリアミドは、機械によって適切に導入または挿入することのできるプラスチック製の挿入体の前提条件として、金属に代わるものとして事実上完全に役立てることができる。
【００３４】
本発明の一改良形態では、挿入体は、その最大直径の長さ部分を少なくとも超えて延びる、断面で対称的または非対称的に配設された長手方向溝を有する。これは、挿入中に方向安定性を図るため、かつ／または捩じれを防止するため、かつ／またはキーロック原理に従って同様の形状の開口内への篏合を促進するために役立つことができる。
【００３５】
本発明の一改良形態では、挿入体、または接続要素の挿入体のシースもしくはエンクロージャは同一材料から構成され、特に射出成形法により同一プロセスで作製される。
【００３６】
本発明の一改良形態では、挿入体は、先端とは反対側の端部に、挿入体が装着された物体から再び挿入体を取り出すことができる工具を挿入するように意図された開口であって、その後に位置する陥凹付きの開口を有する。挿入体はしたがって、再び取り出すこともできる。これは標準工具ではなく、無許可の取外しを防止するために特殊な工具であることが有利である。
【００３７】
本発明の一改良形態では、挿入体は、先端とは反対側の端部に、挿入体が装着される物体への貫入深さを制限するためのストッパとして働く、円板状のプラットフォームを有する。したがって、軟質物体または軟質材料への挿入中に、過度に深く貫入することを防止することができる。
【００３８】
挿入体、特に上述した挿入体を運搬用コンテナの一部または運搬用受台装置、特にパレット内に挿入するための本発明に係る方法では、挿入体は、ＲＦＩＤタグまたはＮＦＣタグとして形成された電子的または電気機械的な送信および／または受信装置を有する。この文脈で、挿入体は、空気圧により、爆発／燃焼により、または電気的に駆動される挿入装置によって、運搬用受台装置の対応する部分内に挿入される。そのような挿入装置は公知であり、それらは、例えば釘またはボルトを時間節約的にかつ実用的に挿入するために使用することができる。
【００３９】
挿入体はその標的内に完全に挿入することができる、結果的に運搬用受台装置の外面から突出せず、特に見えなくなることが有利である。したがって、邪魔にもならない。加えて、それは取り外すことが事実上不可能になる。
【００４０】
これらの特徴およびさらなる特徴は、特許請求の範囲、明細書、および図面から明らかになり、全ての特徴は各々単独で実現することができ、あるいは複数の特徴を、本発明の実施形態および他の分野で、二次的な組合せの形で組み合わせることができ、かつそれ自体保護を得ることができかつここで保護を請求することのできる有利な実施形態を形成することができる。本願を個々の章節および小見出しに分割することは、前記章節においてかつ前記小見出しの下で行われた記述の一般的有効性を限定するものではない。
【図面の簡単な説明】
【００４１】
本発明の例示的実施形態を図面に概略的に示し、以下でより詳細に説明する。
【図１】図１は、内部にＲＦＩＤタグを備えた挿入体の側面図を示す。
【図２】図２は、射出成形によって接続要素と結合された挿入体の独創的なアセンブリを示す。
【図３】図３は、挿入体の外部形状に関する改良形態を示す。
【図４】図４は、挿入体の外部形状に関する改良形態を示す。
【図５】図５は、挿入体の独創的なアセンブリをユーザが挿入装置を用いてパレットのスタック内に挿入する方法の略図を示す。
【図６−７】図６は、個別に、かつアセンブリとして、再び変形された単一の挿入体の平面図を示す。図７は、図６の挿入体の側面図を示す。
【図８−１１】図８−図１１は、フェライト系材料をアンテナを伴うＲＦＩＤタグの遮蔽要素とする、挿入体の変形例を断面図で示す。
【発明を実施するための形態】
【００４２】
図１は、射出成形によって封入されあるいは包封されたＲＦＩＤタグ２付き挿入体１を示す。このＲＦＩＤタグ２は、射出成形による封入前に、例えばガラスジャケットまたは安定した材料から作られたジャケット付きのプラスチックによりすでに包封しておくことができ、このようにして電子的または電気機械的部品を、例えば湿気のような物理的な外部の影響から保護することができる。前記ＲＦＩＤタグ２は、常法としてかつ有利なように、アンテナ（ここでは別個に図示せず）を有することができる。挿入体１の左向きに尖っている先端１２およびその右側の本体７に対して異なる材料を使用することを可能にする分割線１４も図１に示される。本体７の最大直径８と比較して縮小されている先端１２の初期直径９は、例えば木材への容易な挿入を可能にし、かつ長手方向フィン１０を介する木材の場合の断裂挙動を低減させる。先端１２は、すなわち上述した鈍状前面を平坦な先端面９としていわば多少鈍状に形成された、いわば平坦な先端面９を有する。長手方向フィン１０によって形成された長手方向溝１０’は前記長手方向フィン１０の間に延在する。長手方向フィン１０は追加的に付与するか、あるいは先端１２に一体的に形成することができる。すなわち、それらは先端１２の実際の輪郭より突出する。先端は実質的に長手方向溝１０’にさらに延在するように作成される。
【００４３】
本体７または挿入体１の後面１１は、ここでは先端１２の方向の挿入力を吸収し、したがって例えばパーカッションハンマまたは推進装薬として作用する。内部ダクト２６は、先端１２の取外し後、または陥凹１８を介してアクセスした後、例えば廃棄または再生利用のためにＲＦＩＤタグ２にアクセスすることを可能にすることができる。内部ダクト２６は分割線１４まで、すなわち先端１２まで延びる。
【００４４】
したがって、この挿入体１の形状は、筒状ではなく、長さの大部分またはかなりの部分にわたって一定直径を有さず、いわば上反り状である。
【００４５】
図２は、図１に係る複数の挿入体１のアセンブリ６、特に個々の挿入体１の間のウェブ状の接続要素２８を示す。図２はまた、挿入体１への実際の衝撃プロセスまたは力の付与を示す力Ｆが発生した場合のこれらの接続要素２８の分離または破断４をも示す。その結果、衝撃または力の発生の瞬間に、これらの接続要素２８の破断４が起こり、したがって挿入体１がアセンブリ６の残部から解放され、したがって単一の挿入体１の発射が可能になる。挿入体１の反対側には、以前に隣接していた挿入体１に以前に接続されていた接続要素２８の残部が存在することは明らかである。しかし、これは挿入を妨害しない。これらの短い突起は、挿入プロセス中に物体または材料内への貫入が起きるときに、引き千切られるかあるいは取り除くことができる。
【００４６】
図３は、代替的挿入体１０１のＡ−Ａ部における断面の可能な構成を示す。挿入体１０１の最大直径から、凹部１１６は、長手方向フィンのようにこの最大直径部分の前および後の領域１５を網羅する。左側に示されるＡ‐Ａ断面は、篏め込まれる材料における対応する開口との定められた適合のための可能な形状の一例を示すものである。
【００４７】
図３はまた、挿入体１０１の後端の開口１１７を伴う陥凹１１８をも示す。ここに挿入体１０１を除去するための工具を当てることができる。
【００４８】
図４は、さらに別の代替的挿入体２０１で、貫入深さを制限するためのストッパとして働く端部２１１の円板状プラットフォーム２１９またはプロセシングを示す。図３に描かれた開口１１７およびそれに続く陥凹１１８はそれらの機能がプラットフォーム２１９によって悪影響を受けることはなく、それらは素通りすることができる。
【００４９】
図５は、挿入プロセス中に機能する例示的な方法を示す。操作者２２は、圧縮空気が圧縮空気ホース２１を介して供給される自動的空気圧作動式挿入装置２０を、パレットスタック２３の単一のパレット２５に当てる。図２に対応する挿入体１のアセンブリ６は挿入装置内に挿入される。操作者は挿入装置２０をパレット２５のエッジブロックまたはコーナブロックに当てることが有利である。挿入装置２０のトリガ２４を押し込むことにより、単一の挿入体１がアセンブリ６から引き千切られ、パレット２５のコーナブロック内に打ち込まれる。次の打込みを発射し、次の挿入体１を下に位置するパレット２５内に導入するための、下に位置するこのパレット２５への迅速な交替も、図５から明らかである。その後の識別がより容易になるように、打込みは常にパレット２５の同じ位置のエッジブロックまたはコーナブロック内に行われることが有利である。
【００５０】
挿入体１の内部のＲＦＩＤタグ２の書込みおよび／または読出しは、公知の方法で実行することができる。ＲＦＩＤタグ２がパレット２５の木製材料またはプレスボード材内に嵌め込まれることは、ここで邪魔になることがない。
【００５１】
挿入体３０１の代替的な形を図６の平面図および図７の側面図に示す。前記挿入体３０１は細長い筒状の本体３０７を有し、それは挿入体３０１の長さの大部分、特に約８０％を占める。この本体３０７内に上述したＲＦＩＤタグ（ここでは図示せず）が存在する。ＲＦＩＤタグの内部ダクトまたは特有のジャケットのようなさらなる可能性も極めて明らかに提供することができる。
【００５２】
各挿入体３０１は左側に先端３１２を有し、その形状は図６の正面図と併せて明瞭に見ることができる。４つの長手方向フィン３１０が前面３０９または冒頭に述べた初期直径から後部へ分散して突出し、全部合わせてそれらは、特にＳｐａｘ（登録商標）ねじ用に最適化されたプラスドライバに略相当する先端３１２を形成する。この特殊な形状は、パレットのエッジブロックまたはコーナブロックとして昨今頻繁に使用されているプレスボード内に、挿入体３０１を挿入するのに非常に有利であることが立証されている。４つの長手方向フィン３１０は実際には、先端３１２のインデントとして形成される４つの長手方向溝３１０’によって形成される。したがって、これらの長手方向溝３１０’はここでは、一般的に有利になり得るので、先端３１２の外周または外面に走り、あるいはそこに形成され、その結果、長手方向フィン３１０が生成されあるいは残存する。したがって、それらは、図１の実施形態の場合にあり得るように、特別に適用されるものではない。
【００５３】
図６および図７は各々、分かり易くするために上部に単一の挿入体３０１を示す一方、各々が２つの接続要素３２８によって相互に接続された複数の挿入体３０１から成るアセンブリ３０６は下に示されている。冒頭に記載した通り、挿入体３０１は、特に一般の射出成形法で、アセンブリ３０６として一緒に製造することができる。そのようなアセンブリ３０６は、１０〜１２個から最高で３０個あるいは４０個もの挿入体３０１を含むことができる。
【００５４】
さらに、２つの接続要素ではなく、むしろ１つだけの接続要素で、あるいは３つまたは４つもの接続要素で挿入体のアセンブリを一体に保持することが一般的に可能である。
【００５５】
同時に、特に図２および図７から、これらの挿入体、特に図７における筒状の細長い挿入体は、それらを図５に係る挿入装置２０により挿入できるようにするために、必ずしもコヒーレントなアセンブリに挿入される必要がないことは明らかである。また、冒頭に記載した通り、半自動または自動銃器のマガジンと同様に特殊なマガジン内に挿入体を挿入し、次いで対応する移送機構によって各挿入体を挿入装置内に個々に移動させ、それらをパレット内に挿入することも可能である。このような公知の銃器の場合のように、このようなマガジンの充填あるいは作動が次いで実行され得る。
【００５６】
図８は、例えば図７に対応する基本的に同様の外形を持つ挿入体４０１を断面図で示す。挿入体４０１は、略長手中心軸上に、ここに示されるアンテナ４０３と共にＲＦＩＤタグ４０２を有する。挿入体４０１は主として、アンテナ４０３と共にＲＦＩＤタグ４０２を包封する上述したプラスチック４３０から構成される。さらに、フェライト系材料４３２は上述した遮蔽要素の一種として存在するか、あるいはシールドまたは事実上遮蔽要素のように設けられ、かつ有利にはフェライト粉末または顆粒を補充または混合したプラスチックから射出成形される。遮蔽要素としてのフェライト系材料４３２は、完全に挿入体４０１内およびしたがってプラスチック４３０内に入っていなければならない。それは、ここに図示するように湾曲させ、四分の一円を形成することができる。ここでは上向き方向に最適な遮蔽効果が得られる。したがって、図８の挿入体は、フェライト系材料４３２がＲＦＩＤタグ４０２の上に遮蔽要素として配置されるように、図５に係るパレット２５内に挿入しなければならない。したがって、アンテナ４０３もまた上向きの方向に少なくとも部分的に遮蔽される。図８における挿入体４０１は単一挿入体とすることができ、さもなくばアセンブリにおいて、一緒に射出成形されることが有利である図７に係るさらなる挿入体と、すなわち接続要素によって、接続することができる。
【００５７】
前述の切欠きまたは陥凹４３４もまたここに破線で示される。前記切欠きまたは陥凹４３４は、挿入体４０１の長手中心軸に対し直角方向に走る。それは、挿入体４０１が挿入装置内に挿入されたときに、厳密にまたは正確に配置されることを確実にする。挿入装置内への挿入中に適正な案内が行われるように、２つの陥凹４３４を設けることも可能である。
【００５８】
図９の挿入体４０１では、フェライト系材料４３２は、図８と比較して、いわばさらに略湾曲した遮蔽要素として半円を形成する。ここでも最適な遮蔽効果は上方に生じ、したがって挿入体はこのように厳密に挿入しなければならない。そうすると、フェライト系材料４３２は、アンテナ４０３付きのＲＦＩＤタグ４０２の上に配置される。
【００５９】
図１０の挿入体４０１では、フェライト系材料４３２は直線状の広がりを有し、この目的のためにアンテナ４０３上に載置される。したがって、これは１つの構成部品として非常に容易に作製することができ、それは次いで射出成形によりプラスチック４３０で包封される。前述の切欠きまたは陥凹４３４はここにも破線で示される。前記切欠きまたは陥凹４３４も挿入体４０１の長手中心軸に対し直角の方向に走る。ここでは２つの切欠きまたは陥凹４３４が、１つはフェライト系材料４３２を伴うアンテナ４０３の前部に、かつ１つは後部に、存在することが有利である。
【００６０】
図１１の挿入体４０１では、フェライト系材料４３２の形状は、図８の場合と同様であり、すなわち四分の一円である。しかし、ここでは前記アンテナ４０３が多少短くなっており、遮蔽要素はアンテナ４０３の上を走り、あるいはそれと重なる。したがって、図８と比較して明らかであるように、上方の遮蔽は再び大幅に改善される。
【図１】
2018524746.tif 000003
【図２】
2018524746.tif 000004
【図３】
2018524746.tif 000005
【図４】
2018524746.tif 000006
【図５】
2018524746.tif 000007
【図６−７】
2018524746.tif 000008
【図８−１１】
2018524746.tif 000009
【手続補正書】
【提出日】平成30年1月30日(2018.1.30)
【手続補正１】
【補正対象書類名】特許請求の範囲
【補正対象項目名】全文
【補正方法】変更
【補正の内容】
【特許請求の範囲】
【請求項１】
運搬用受台装置内に挿入するための挿入体であって、挿入体は細長い形状であり、ＲＦＩＤタグまたはＮＦＣタグとして形成される電子的または電気機械的な送信および／または受信装置を有し、挿入体は少なくとも一先端がテーパ状である、挿入体。
【請求項２】
挿入体の先端は、挿入体の面内長手中心軸に沿って走る、少なくとも２つの長手方向溝を有し、長手方向溝はテーパ状の先端に設けられ、溝の間には一定幅を有する長手方向フィンが存在する、請求項１に記載の挿入体。
【請求項３】
電子的または電気機械的な送信および／または受信装置、および／または送信および／または受信装置のアンテナに隣接して、挿入体に磁化可能材料またはフェライト系材料が配設される、請求項１に記載の挿入体。
【請求項４】
磁化可能材料またはフェライト系材料は、送信および／または受信装置より大きいサイズの湾曲面として、それが送信および／または受信装置を超えて一つの方向に突出し、側方のどこにも突出するように、またはそれが前記送信および／または受信装置を遮蔽するように形成される、請求項３に記載の挿入体。
【請求項５】
複数の同一挿入体のアセンブリであって、各挿入体は電子的または電気機械的な送信および／または受信装置を有し、電子的または電気機械的な送信および／または受信装置はＲＦＩＤタグまたはＮＦＣタグとして形成され、挿入体は、１つ以上の接続要素によって、互いに隣接してまたは互いに前後に接続され、接続要素は、単一の挿入体に対する外力の効果により、機械的に引き千切られるように設計される、アセンブリ。
【請求項６】
挿入体は、請求項１に記載のものである、請求項５に記載のアセンブリ。
【請求項７】
接続要素は、挿入体が被駆動挿入装置により挿入されるときに、単一の挿入体に対する外力の効果によって機械的に引き千切られるように設計される、請求項５に記載のアセンブリ。
【請求項８】
挿入体は直列に配設して互いに接続され、かつ挿入装置として空気もしくは電動釘打ち銃装置またはボルトガン装置用の直線状、円形、または螺旋状構成のマガジンを形成する、請求項５に記載のアセンブリ。
【請求項９】
挿入体は、先端とは反対側の端部がテーパ状である、請求項５に記載のアセンブリ。
【請求項１０】
挿入体の一先端は平坦状であるか、または挿入体の最大直径の最大２５％まで漸減される、請求項５に記載のアセンブリ。
【請求項１１】
挿入体は、テーパ状の先端を除いて、かなりの部分を、つまりその長さの少なくとも５０％超を、筒状の直線的な形状、特に円筒状とする、請求項５に記載のアセンブリ。
【請求項１２】
挿入体の前部領域は、挿入体の後部の材料より硬い材料から構成され、前部領域は、ポジティブ係止および摩擦係止によりこの後部に接続される、請求項５に記載のアセンブリ。
【請求項１３】
送信および／または受信装置は、前部領域分離面を通って挿入体の内部へと移動され、同じようにして再び除去される、請求項１２に記載のアセンブリ。
【請求項１４】
挿入体および接続要素は同一材料から構成され、特に射出成形法により同一プロセスで作製される、請求項５に記載のアセンブリ。
【請求項１５】
挿入体は、先端とは反対側の端部に、挿入体が装着された物体から再び挿入体を取り出すことができる工具を挿入するように意図された開口であって、開口の後に位置する陥凹付きの開口を有する、請求項５に記載のアセンブリ。
【請求項１６】
送信および／または受信装置は、陥凹を介してまたは先端分離面を介してダクトを通って挿入体の内部へと移動され、同じようにして再び除去される、請求項１５に記載のアセンブリ。
【請求項１７】
送信および／または受信装置は、シース内に位置され、このシースによって挿入体中に射出成形によって含められ、射出成形法は、好ましくは一段階または二段階で行なわれる、請求項５に記載のアセンブリ。
【請求項１８】
挿入体は、先端とは反対側の端部に、挿入体が装着される物体への貫入深さを制限するためのストッパとして働く、円板状のプラットフォームを有する、請求項５に記載のアセンブリ。
【請求項１９】
挿入体、特に請求項１に記載の挿入体、および／または請求項５に記載のアセンブリの挿入体を運搬用コンテナの一部または運搬用受台装置内に挿入するための方法であって、挿入体は、ＲＦＩＤタグまたはＮＦＣタグとして形成された電子的または電気機械的な送信および／または受信装置を有し、挿入体は、空気圧により、燃焼により、または電気的に駆動される挿入装置によって、運搬用受台装置の対応する部分内に挿入される、方法。
【請求項２０】
挿入体は完全に挿入され、結果的に運搬用受台装置の外面から突出せず、特にもはや見えなくなる、請求項１９に記載の方法。
【手続補正２】
【補正対象書類名】明細書
【補正対象項目名】０００７
【補正方法】変更
【補正の内容】
【０００７】
この目的は、請求項１に記載の特徴を有する挿入体、請求項５に記載の特徴を有する複数の挿入体のアセンブリ、および請求項１９に記載の特徴を有する方法によって達成される。本発明の有利かつ好適な改良形態はさらなる請求項の対象であり、以下でより詳細に説明する。以下の特徴および特性の多くは、全てを列挙し尽くすものではなく、場合によっては挿入体のみについて、またはアセンブリのみについて、または方法のみについて説明する。しかし、これに関係なく、それらは挿入体およびアセンブリまたは方法の両方に、それら自体でかつ互いに独立して適用することができるように意図されている。請求項の表現は、明示的な言及を介して、明細書の内容として組み込まれる。
【手続補正３】
【補正対象書類名】明細書
【補正対象項目名】００４６
【補正方法】変更
【補正の内容】
【００４６】
図３は、代替的挿入体１０１のＡ−Ａ部における断面の可能な構成を示す。挿入体１０１の最大直径から、凹部１１１６は、長手方向フィンのようにこの最大直径部分の前および後の領域１５を網羅する。左側に示されるＡ‐Ａ断面は、篏め込まれる材料における対応する開口との定められた適合のための可能な形状の一例を示すものである。
【国際調査報告】
2018524746.tif 000010
2018524746.tif 000011
2018524746.tif 000012
2018524746.tif 000013
2018524746.tif 000014
2018524746.tif 000015